(57)【特許請求の範囲】
【請求項１】
座部とこの座部の後部に設けられた背もたれ部を有する椅子本体の身体を支持する部位にエアーの給排気によって膨縮する複数の袋体を配設し、これら各袋体にエアーホースを介してエアー供給装置からのエアーを給排気してマッサージを行う椅子式エアーマッサージ機において、
エアーホースを介して前記エアー供給装置からのエアーの給排気によって膨縮するとともに脚部を挿通する両端を開口した挿通孔が形成された脚用袋体と、前記挿通孔の開口を除いて前記脚用袋体の外周を包囲する包囲部材と、緩衝性を有する部材からなり前記脚用袋体の挿通孔の開口を除いて前記包囲部材の外周を包囲する緩衝部材と、変形可能な部材からなり前記脚用袋体の挿通孔の開口を除いて前記緩衝部材の外周を覆うカバー部材と、このカバー部材に設けられ前記挿通孔の開口を開閉する開閉部材とからなり、前記座部に連結された脚用マッサージ具を備えるとともに、
前記包囲部材またはカバー部材の少なくとも一方を非伸縮性部材としたことを特徴とする椅子式エアーマッサージ機。
【請求項２】
座部とこの座部の後部に設けられた背もたれ部を有する椅子本体の身体を支持する部位にエアーの給排気によって膨縮する複数の袋体を配設し、これら各袋体にエアーホースを介してエアー供給装置からのエアーを給排気してマッサージを行う椅子式エアーマッサージ機において、
エアーホースを介して前記エアー供給装置からのエアーの給排気によって膨縮するとともに脚部を挿通する両端を開口した挿通孔が形成された脚用袋体と、前記挿通孔の開口を除いて前記脚用袋体の外周を包囲する包囲部材と、緩衝性を有する部材からなり前記脚用袋体の挿通孔の開口を除いて前記包囲部材の外周を包囲する緩衝部材と、変形可能な部材からなり前記脚用袋体の挿通孔の開口を除いて前記緩衝部材の外周を覆うカバー部材とからなり、前記座部に連結された脚用マッサージ具を備えるとともに、
前記包囲部材またはカバー部材の少なくとも一方を非伸縮性部材とするとともに、前記座部の前部とこの前部に対応する脚用マッサージ具の端縁とを屈曲可能な連結部材で連結し、前記脚用マッサージ具を前記座部に重ね合わせ可能としたことを特徴とする椅子式エアーマッサージ機。
【請求項３】
座部、この座部の後部に設けられた背もたれ部および前記座部の側部に設けられた肘掛け部を有する椅子本体の身体を支持する部位にエアーの給排気によって膨縮する複数の袋体を配設し、これら各袋体にエアーホースを介してエアー供給装置からのエアーを給排気してマッサージを行う椅子式エアーマッサージ機において、
エアーホースを介して前記エアー供給装置からのエアーの給排気によって膨縮するとともに腕部を挿通する両端を開口した挿通孔が形成された腕用袋体と、前記挿通孔の開口を除いて前記腕用袋体の外周を包囲する包囲部材と、緩衝性を有する部材からなり前記腕用袋体の挿通孔の開口を除いて前記包囲部材の外周を包囲する緩衝部材と、変形可能な部材からなり前記腕用袋体の挿通孔の開口を除いて前記緩衝部材の外周を覆うカバー部材とからなり、前記肘掛け部の上面部に設けられた腕用マッサージ具を備えるとともに、
前記包囲部材またはカバー部材の少なくとも一方を非伸縮性部材としたことを特徴とする椅子式エアーマッサージ機。
【請求項４】
前記カバー部材の前記開口の周縁部にこの開口を開閉する開閉部材を設けたことを特徴とする請求項３記載の椅子式エアーマッサージ機。
【発明の詳細な説明】
【０００１】
【発明の属する技術分野】
この発明は、椅子式エアーマッサージ機に関し、特に脚部あるいは腕部のマッサージをするマッサージ具を備えたものに関する。
【０００２】
【従来の技術】
従来、椅子の座部および背もたれ部等の身体を支持する部位に気密性を有する複数の袋体を配置し、これら各袋体に所定の順序で圧搾空気つまりエアーを給排気して膨縮させることにより身体を押圧してマッサージをする椅子式エアーマッサージ機は広く知られている。しかし、従来の椅子式エアーマッサージ機においては、主に身体の腿、尻、背中および肩・首等（以下背中等という）を膨縮する袋体によって押圧してマッサージするものであり、脚のふくらはぎ部（以下脚部という）のマッサージをする場合は、これら脚部をマッサージする脚用マッサージ具を前記座部の前方部に設ける構成となっている。
【０００３】
この脚用マッサージ具を設けた椅子式エアーマッサージ機としては、例えば図１１に示すような椅子式エアーマッサージ機がある。つまり、この椅子式エアーマッサージ機では図に示すように、座部１０１、この座部１０１の後部に設けられた背もたれ部１０２、前記座部１０１の両側に設けられた肘掛け部１０３等からなる椅子本体１００と、この椅子本体１００の前記座部１０１の下側に配設された図示しないエアーコンプレッサーからなるエアー供給装置、前記座部１０１および背もたれ部１０２に配設され前記エアー供給装置からのエアーをエアーホース１０４ａないし１０８ａを介して給排気されて膨縮する複数の袋体１０４ないし１０８等から構成されている。
【０００４】
そして、脚部をマッサージする脚用エアーマッサージ具１１０は、前記座部１０１の前側に設けられおり、この脚用エアーマッサージ具１１０は、上方を開口した一対の略Ｕ字状の脚載置凹部１１２、１１３が設けられた脚載置台１１１と、前記両脚載置凹部１１２、１１３のそれぞれ互いに対向した側壁に配設された袋体１１２ａ、１１２ｂおよび１１３ａ、１１３ｂ等から構成されている。また、これら袋体１１２ａないし１１３ｂには図示しないエアーホースを介して同じく図示しない前記エアーコンプレッサーに接続され、このエアーコンプレッサーからのエアーの給排気によって、袋体１１２ａ、１１２ｂおよび１１３ａ、１１３ｂを膨縮させ、膨縮する袋体１１２ａ、１１２ｂおよび１１３ａ、１１３ｂによって脚部を圧縮・弛緩してマッサージをなすものである。なお、前記脚載置台１１１は前記肘掛け部１０３内に設けられている図示しない枠部材に回動自在に軸支されている。
【０００５】
そして、前記脚用マッサージ具１１０は、脚載置台１１１が保形性を有するつまり剛体で形成されていることから形状が大きくなるとともに重量が重い。そのため椅子本体１００に取り付けるためには、前記枠部材および脚載置台１１１を支持する支持軸等の取付部材の強度を大きくしなければならず取付部材の強度を増すために大きくしたり、あるいは強度の強い材料を使用しなければならないため高コスト化を招くとともに、椅子本体１００の重量が増加しその取扱いが不便となるものである。また、前記脚載置台１１１は構成上座部１０１より前方に突出させて設けざるを得ないものであり、加えて保形性を有することから、椅子式マッサージ機の不使用時に邪魔になるとともに広い使用スペースを必要とすることになり、このことは椅子式エアーマッサージ機の不使用時において広い収納スペースを要することになる。
【０００６】
このように脚用マッサージ具１１０を設けた椅子式エアーマッサージ機では、脚用マッサージ具１１０は大きく重いことから取付部材の強度を大きくしなければならないことに起因して高コスト化を招くとともに重量増加に伴い取扱いが不便となる。また、保形性を有するとともに形状が大きい脚用マッサージ具１１０が椅子本体１００から外方に突出させる構成となっていることから使用時および収納時に広いスペースを必要とするものである。
【０００７】
そこで、特に不使用時の使用スペースつまり収納スペースを小さくするために脚用マッサージ具１１０を着脱方式にすることも考えられるが、このように着脱方式とした場合は、使用する都度脚用マッサージ具１１０を椅子本体１００に取り付けなければならず、また、着脱の際にエアーホースを着脱しなければならないという煩わしい操作を必要とし、また、取り外した脚用マッサージ具１１０を別途保管しなければならないという問題が生じる。
【０００８】
【発明が解決しようとする課題】
上述のように従来の脚用マッサージ具を備えたエアーマッサージ機においては、この脚用マッサージ具は、保形性を有するとともに形状が大きいことから重く、そのため脚用マッサージ具を椅子本体に取り付ける場合、椅子本体および脚用マッサージ具の取付部材の強度を大きくしなければならず、これに起因して高コスト化を招くとともに重量増加に伴い取扱いが不便となり、また、保形性を有する脚用マッサージ具が椅子本体から外方に突出する構成となっていることから不使用時には邪魔になるとともに広い収納スペースを必要とするという問題がある。
【０００９】
【課題を解決するための手段】
この発明は、上記事情に鑑みなされたもので、請求項１記載の発明は、座部とこの座部の後部に設けられた背もたれ部を有する椅子本体の身体を支持する部位にエアーの給排気によって膨縮する複数の袋体を配設し、これら各袋体にエアーホースを介してエアー供給装置からのエアーを給排気してマッサージを行う椅子式エアーマッサージ機において、エアーホースを介して前記エアー供給装置からのエアーの給排気によって膨縮するとともに脚部を挿通する両端を開口した挿通孔が形成された脚用袋体と、前記挿通孔の開口を除いて前記脚用袋体の外周を包囲する包囲部材と、緩衝性を有する部材からなり前記脚用袋体の挿通孔の開口を除いて前記包囲部材の外周を包囲する緩衝部材と、変形可能な部材からなり前記脚用袋体の挿通孔の開口を除いて前記緩衝部材の外周を覆うカバー部材と、このカバー部材に設けられ前記挿通孔の開口を開閉する開閉部材とからなり、前記座部に連結された脚用マッサージ具を備えるとともに、前記包囲部材またはカバー部材の少なくとも一方を非伸縮性部材とした椅子式エアーマッサージ機としたものである。
また、請求項２記載の発明は、座部とこの座部の後部に設けられた背もたれ部を有する椅子本体の身体を支持する部位にエアーの給排気によって膨縮する複数の袋体を配設し、これら各袋体にエアーホースを介してエアー供給装置からのエアーを給排気してマッサージを行う椅子式エアーマッサージ機において、エアーホースを介して前記エアー供給装置からのエアーの給排気によって膨縮するとともに脚部を挿通する両端を開口した挿通孔が形成された脚用袋体と、前記挿通孔の開口を除いて前記脚用袋体の外周を包囲する包囲部材と、緩衝性を有する部材からなり前記脚用袋体の挿通孔の開口を除いて前記包囲部材の外周を包囲する緩衝部材と、変形可能な部材からなり前記脚用袋体の挿通孔の開口を除いて前記緩衝部材の外周を覆うカバー部材とからなり、前記座部に連結された脚用マッサージ具を備えるとともに、前記包囲部材またはカバー部材の少なくとも一方を非伸縮性部材とするとともに、前記座部の前部とこの前部に対応する脚用マッサージ具の端縁とを屈曲可能な連結部材で連結し、前記脚用マッサージ具を前記座部に重ね合わせ可能とした椅子式エアーマッサージ機としたものである。
また、請求項３記載の発明は、座部、この座部の後部に設けられた背もたれ部および前記座部の側部に設けられた肘掛け部を有する椅子本体の身体を支持する部位にエアーの給排気によって膨縮する複数の袋体を配設し、これら各袋体にエアーホースを介してエアー供給装置からのエアーを給排気してマッサージを行う椅子式エアーマッサージ機において、エアーホースを介して前記エアー供給装置からのエアーの給排気によって膨縮するとともに腕部を挿通する両端を開口した挿通孔が形成された腕用袋体と、前記挿通孔の開口を除いて前記腕用袋体の外周を包囲する包囲部材と、緩衝性を有する部材からなり前記腕用袋体の挿通孔の開口を除いて前記包囲部材の外周を包囲する緩衝部材と、変形可能な部材からなり前記腕用袋体の挿通孔の開口を除いて前記緩衝部材の外周を覆うカバー部材とからなり、前記肘掛け部の上面部に設けられた腕用マッサージ具を備えるとともに、前記包囲部材またはカバー部材の少なくとも一方を非伸縮性部材とした椅子式エアーマッサージ機としたものである。
また、請求項４記載の発明は、請求項３記載の発明において、前記カバー部材の前記開口の周縁部にこの開口を開閉する開閉部材を設けた椅子式エアーマッサージ機としたものである。
【００１０】
上記のように構成した請求項１記載の発明は、脚部のマッサージを行う脚用マッサージ具を、エアーの排気時に収縮する脚用袋体と、この脚用袋体の外周を包囲する変形可能な部材からなる包囲部材と、緩衝性を有する部材からなり前記包囲部材の外周を包囲する緩衝部材と、変形可能な部材からなり前記緩衝部材の外周を覆うカバー部材と、このカバー部材に設けられ前記挿通孔の開口を開閉する開閉部材とから構成して、座部に連結する構成としている。このため、脚用マッサージ具を変形可能とするとともに軽量とすることができ、椅子本体および脚用マッサージ具の取付部材の強度を大きくする必要がなく低コスト化を図ることができるとともに軽量化に伴い取扱いが容易となる。また、脚用マッサージ具を圧縮変形して収納できることから、コンパクトに収納でき収納時に広い使用スペースを必要とすることなく省スペース化が図れるという作用を有するものである。
【００１１】
更に、不使用時脚用袋体の開口を閉鎖して内部つまり環状押圧面への塵埃の付着あるいは異物等の侵入を防止でき、使用時に脚部の汚れ等を防止できるという作用を有するものである。
【００１２】
また、請求項２記載の発明は、脚用マッサージ具を変形可能とするとともに軽量とすることができ、椅子本体および脚用マッサージ具の取付部材の強度を大きくする必要がなく低コスト化を図ることができるとともに軽量化に伴い取扱いが容易となり、また、脚用マッサージ具を圧縮変形して収納できることから、コンパクトに収納でき収納時に広い使用スペースを必要とすることなく省スペース化が図れるという作用を有することに加えて、脚用マッサージ具を座部に重ね合わせ可能としたことから、不使用時脚用マッサージ具を座部に重ね合わせて収納することによりコンパクトに収納できるとともに、マッサージ機としてではなく単に椅子として使用する場合はクッション部材として機能させることができるという作用を有するものである。
【００１３】
また、請求項３記載の発明は、腕部のマッサージを行う腕用マッサージ具を、エアーの排気時に収縮する腕用袋体と、この腕用袋体の外周を順次包囲するように設けられた、変形可能の部材からなる包囲部材と、緩衝性を有する部材からなり前記包囲部材の外周を包囲する緩衝部材と、変形可能な部材からなり前記緩衝部材の外周を覆うカバー部材とから構成して、肘掛け部の上面部に設ける構成としたことから、椅子本体および腕用マッサージ具を軽量とすることができ、椅子本体の重量を増加させることがないことから取扱いが容易となり、また、腕用マッサージ具を、肘掛け部に腕を載置する場合のクッションとして機能させることができるという作用を有するものである。
また、請求項４記載の発明は、不使用時腕用袋体の開口を閉鎖して内部つまり環状押圧面への塵埃の付着あるいは異物等の侵入を防止できるという作用を有するものである。
【００１４】
【発明の実施の形態】
つぎに、この発明を座椅子形式の椅子式エアーマッサージ機に適用した場合の実施の形態について説明する。まず、第一の実施の形態を図１ないし図５に基づいて説明する。
【００１５】
図において、１は椅子本体で、この椅子本体１はほぼ水平に設けられた身体を支持する部位である座部２、この座部２の後側に配置された同じく身体を支持する部位である背もたれ部３および前記座部２の両側に位置して設けられた肘掛け部４とから構成されている。なお、前記背もたれ部３は座部２に回動可能に取り付けられているとともに座部２に対して略垂直状態から水平状態までの範囲内においてあらかじめ定められた所定位置に位置決め可能に設けられている。
【００１６】
そして、前記座部２にはその前側および後側にそれぞれ気密性を有するとともに軟質部材からなり、圧搾空気つまりエアーの給排気に伴い膨縮する細長かつ偏平状に形成された腿用袋体５および尻用袋体６が、その長手方向を座部２の横方向（図において左右方向つまり肘掛け部４と直交する方向）に向けて配設されている。そして、前記座部２の前側に配設された腿用袋体５は大腿部を中心とした部分をマッサージするように機能し、また、後側に配設された袋体６は尻部をマッサージするように機能するようになっている。
【００１７】
また、前記背もたれ部３には座部２の近傍に腰部をマッサージするための腰用袋体７が配設され、この腰用袋体７の上方に位置して背中部をマッサージする背中用袋体８が配設され、さらにこの袋体８の配設位置の上部に位置して首部および肩部をマッサージする首肩用袋体９が配設されている。そして、前記袋体７、袋体８および袋体９は前記腿用袋体５および尻用袋体６と同様な材質からなり細長かつ偏平状に形成され、その長手方向を背もたれ部３の横方向（図において左右方向）に一致させて配設されている。
【００１８】
前記各袋体５ないし９は、図示しない背もたれ部３の枠部材に取り付けられており、また、布状のカバー１０で覆われ、各袋体５ないし９は外部からは見えないようになっている。
【００１９】
そして、前記各袋体５ないし９には図示しないが、この種の椅子式エアーマッサージ機においては周知であるエアーを給排気するための給排気口が設けられており、この給排気口にはエアーホース５ａないし９ａが接続されている。
【００２０】
また、前記肘掛け部４の側壁４ａに収納部２０が設けられており、この収納部２０には図５に示すようにエアー供給装置としてのエアーコンプレッサー２１、このエアーコンプレッサー２１と供給管２６によって接続されエアーコンプレッサー２１からのエアーを前記各袋体５ないし９に給排気するロータリー弁からなる分配器２２、この分配器２２を駆動するステッピングモータ２３、前記エアーコンプレッサー２１およびステッピングモータ２３を介して分配器２２を制御する制御装置２４が収納されている。この制御装置２４はマイクロコンピューターおよび各種マッサージモードを記録するメモリー等から構成されている。また、前記分配器２２には前記各袋体５ないし９に接続されたエアーホース５ａないし９ａの他端側が接続されている。
【００２１】
そして、前記制御装置２４は、使用者の操作によってリモートコントロール装置等からなる操作部２５から各種マッサージモードの中から所望のマッサージモードが選択されて設定されると、このマッサージモードを実行つまりこのマッサージモードにしたがって前記エアーコンプレッサー２１およびステッピングモータ２３を介して分配器２２を制御し、前記各袋体５ないし９にエアーを給排気するものである。
【００２２】
そして、前記座部２の前部には脚用マッサージ具３０が設けられている。この脚用マッサージ具３０は、エアーの給排気によって膨縮する両脚部をマッサージする一対の脚用袋体４０、４０、この脚用袋体４０、４０の外周を包囲して設けられた包囲部材３１、この包囲部材３１の外周を包囲して設けられた緩衝部材３３、この緩衝部材３３の外周を包囲して設けられたカバー部材３５とから構成されている。
【００２３】
そして、前記脚用袋体４０、４０のそれぞれは、図３に示すように互いに対向しエアーの給排気により膨縮する一対の偏平状の袋体４１および４２から構成されており、これら袋体４１および４２の互いに対向する内周面４１ａおよび４２ａで形成された空間は脚部を挿通する挿通孔４３を形成しているとともに前記内周面４１ａおよび４２ａは脚部を押圧してマッサージする押圧面となっている。また、挿通孔４３の両端は脚部を貫通できるように開口している。また、前記各袋体４１、４２は図１に示すように屈曲性のあるエアーホース４１ｂおよび４２ｂを介して前記分配器２２に接続され、エアーコンプレッサー２１からのエアーの給排気がなされるようになっている。なお、前記エアーホース４１ｂ、４２ｂは後述する緩衝部材３３に包囲され外力が加わったときに緩衝部材３３の緩衝作用によって押し潰されないようになっている。
【００２４】
また、前記袋体４１、４２は挿通孔４３の両端の開口を除いてつまり開口に対応して開口した前記包囲部材３１で包囲されている。そして、包囲部材３１は前記袋体４１、４１の外周を包囲する非伸縮性の布状部材からなる包囲部材３１ａと、袋体４２、４２の外周を包囲する非伸縮性の布状部材からなる包囲部材３１ｂからなっており、この包囲部材３１ａ、３１ｂによって前記袋体４１、４２を包囲するとともにその両端縁３２ａ、３２ｂおよび中央部３２ｃをそれぞれ縫製Ｈして、前記袋体４１、４２を所定位置つまり両脚部を延ばして通常の離間状態で前記挿通孔４３、４３に挿通できる位置に位置決めするようになっている。
【００２５】
そして、前記脚用袋体４０、４０のそれぞれの袋体４１、４２は、包囲部材３１つまり非伸縮性の布状部材からなる包囲部材３１ａ、３１ｂによって包囲されていることから、これら袋体４１、４２にエアーが供給されて膨脹した際は、外側方向への膨脹が規制されるため各袋体４１、４２は内側に向かって膨脹することになり、したがって、各袋体４１、４２の内周面４１ａ、４２ａは挿通孔４３に挿通された脚部を押圧つまりマッサージすることになる。
【００２６】
また、前記各袋体４１、４２の内周面４１ａ、４２ａには、この内周面４１ａ、４２ａが直接脚部に触れないように柔らかな布からなるカバー４５で覆われている。このカバー４５は袋体４１、４２が内側に膨脹する膨脹量を許容するように適度なゆとりが持たせてある。なお、このカバー４５を伸縮性のある部材とした場合は前記ゆとりを持たせる必要がないことから、挿通孔４３への脚部の挿通が容易となる利点がある。
【００２７】
つぎに、前記包囲部材３１は、前記挿通孔４３、４３の両端の開口を除いてその外周を前記緩衝部材３３で包囲されており、この緩衝部材３３は、弾力性つまり緩衝性を有する例えばスポンジ状部材等から構成されている。したがって、外力を加えることにより自由に変形するとともに、クッション作用を有するものである。
【００２８】
そして、前記緩衝部材３３は、前記脚用袋体４０、４０の挿通孔４３、４３の開口を除いてその外周を布等からなるカバー部材３５によって覆われている。このカバー部材３５は、後側つまり前記座部２側の下側縁を前記座部２の下縁部にカバー部材の一部である図示しない帯状の屈曲性のある連結部材で接続されるとともに、上側縁と座部２の上縁部とにはそれぞれファスナー等からなる開閉部材３６の一方側３６ａと他方側３６ｂが取り付けられており、この一方側３６ａと他方側３６ｂを結合・非結合とすることにより前記挿通孔４３、４３を閉鎖あるいは開口するようになっている。つまり前記後側の開閉部材３６を結合して閉じたときは、カバー部材３５の後側開口の上側はこの開閉部材３６により、また、下側は図示しない前記帯状の連結部材によって閉鎖されて前記挿通孔４３、４３への外部からの塵埃や異物の侵入を防止するようになっている。
【００２９】
また、このカバー部材３５の前側の開口の開口縁には同様にファスナー等からなる開閉部材３７が設けられており、この開閉部材３７によってカバー部材３５の前側の開口は開閉されるようになっている。
【００３０】
したがって、脚用マッサージ具３０の不使用時には前記開閉部材３６、３７を結合状態としておくものであることから、前記脚用袋体４０、４０の挿通孔４３、４３の開口はカバー部材３５によって閉鎖され、挿通孔４３、４３内には塵埃あるいは異物の侵入が防止できるものであり、挿通孔４３、４３内の汚れを防止できる。また、この不使用状態では脚用マッサージ具３０は脚載置用クッションとして使用できるようになっている。また、脚用袋体４０、４０を使用する時には前記開閉部材３６、３７の結合を解くことにより、前記挿通孔４３、４３の開口から脚部を挿通できるものである。なお、図において、５０は電源コードであり、また、椅子本体１には図示しないが電源スイッチが設けられている。また、前記操作部２５には図示しないが始動スイッチが設けられている。
【００３１】
つぎに、上記椅子式エアーマッサージ機１の制御について図５に示す制御ブロック図に基づいて説明する。
【００３２】
図５に示すように前記エアーコンプレッサー２１には分配器２２が供給管２６を介して接続され、この分配器２２は上述したようにエアーホース５ａないし９ａを介して腿用袋体５ないし首・肩用袋体９に、また、エアーホース４１ｂ、４２ｂを介して脚用袋体４０、４０の各袋体４１、４２に接続されている。そして、前記エアーコンプレッサー２１および分配器２２を動作させるステッピングモータ２３はマイクロコンピューターからなる制御装置２４によって制御されるようになっている。この制御装置２４は前記操作部２５によって制御されるようになっている。
【００３３】
そして、使用者は操作部２５によって種々のマッサージモードの中から所望のモードを選択してマッサージを行うものである。このマッサージモードは例えば所定の順序と時間にしたがって各袋体を膨縮させて全身または上半身あるいは下半身をマッサージするコースモード、また、首・肩、腰あるいは脚等の各部を部分的にマッサージをするポイントモード等各種マッサージモードである。
【００３４】
つぎに、上記のように構成された椅子式エアーマッサージ機の動作について説明する。
【００３５】
まず、背中等とともに脚部のマッサージを所望する場合は、脚用マッサージ具３０のカバー部材３５の前記開閉部材３６、３７の結合を解くとともに図４に示すように脚用袋体３０の後側下部を座部２の上面と略一致するように位置させた後脚用袋体４０、４０の挿通孔４３、４３に脚部を挿通する。ついで、操作部２５を操作して各種マッサージモードの中から所望のマッサージモードを選択した後、身体の背部を背もたれ部３に当て、図示しない始動スイッチを入れる。そうすると、前記制御装置２４は前記選択されたマッサージモードに従って前記各袋体５ないし９および袋体４１、４２にエアーの給排気をするように図示しないエアーコンプレッサー２１、ステッピングモータ２３を介して分配器２２を制御する。そしてエアーの給排気により膨縮する袋体５ないし９および袋体４１、４２によって、脚部を含む各施療部のマッサージがなされる。
【００３６】
そして、マッサージが終了した後は、前記脚用マッサージ具３０の前記開閉部材３６、３７を結合状態として脚用袋体４０、４０の開口を閉じる。この閉じた状態では前記挿通孔４３、４３への塵埃あるいは異物の侵入は防止されるとともに、単に座椅子として使用する場合のクッションしての使用ができる。
【００３７】
そして、脚用マッサージ具３０は、従来のもののように保形性のある脚載置台を不要としていることから小形・軽量であり、また、変形可能とすることができ、椅子本体および脚用マッサージ具３０の取り付け部材の強度を大きくする必要がなく低コスト化を図ることができるとともに軽量化に伴い取扱いが容易となり、また、脚用マッサージ具３０を圧縮変形して収納できることからコンパクトに収納でき収納時に広いスペースを必要とすることなく省スペース化が図れるものである。
【００３８】
つぎに、この発明の第二の実施の形態を図６および図７に基づいて説明する。なお、この第二の実施の形態における椅子式マッサージ機は上記第一の実施の形態における脚用マッサージ具３０を椅子本体１の座部２の上面に対向させて重ね合わせるようにしたものであり、両実施の形態の相違する構成は脚用マッサージ具３０に設けた開閉部材の構成のみであり、その他の構成は第一の実施の形態の構成と同様であることから、同一部分については同一符号を付しその説明は省略する。
【００３９】
この実施の形態における脚用マッサージ具３０は上記第一の実施の形態と同様な構成となっており、そのカバー部材３５は図に示すようにこのカバー部材３５の下面一辺と座部２の前側下部一辺とをカバー部材３５の一部である屈曲可能な帯状の連結部材３５ａで連結するとともに、この連結部材３５ａが形成された一辺を除いた略コ字状の下面外周部にファスナー等からなる開閉部材６０の一方側６１が縫製等により取り付けられている。また、前記座部２の前記連結部材３５ａが設けられた一辺を除く略コ字状の周縁部に前記開閉部材６０の他方側６２が縫製等により取り付けられている。
【００４０】
このように構成されていることから脚用マッサージ具３０の不使用時は、この脚用マッサージ具３０を前記連結部材３５ａの部分を中心として折り曲げて前記座部２の上面に重ね合わせるとともに、前記緩衝部材３３を圧縮させつつ前記開閉部材６０の一方側６１と他方側６２を結合して開閉部材６０を結合する。この状態では前記脚用袋体４０、４０の挿通孔４３、４３は前後の開口はカバー部材３５および前記連結部材３５ａによって閉鎖され、前記挿通孔４３、４３には塵埃あるいは異物が侵入することはないのである。
【００４１】
そして、不使用時は脚用マッサージ具３０を連結部材３５ａを介して折り曲げて座部２に重ね合わせて収納できることから、収納時の収納スペースを小さくしてコンパクトにできるものである。また、脚用マッサージ具３０は小形・軽量であることからこの脚用マッサージ具３０とともに椅子本体１つまり椅子式マッサージ機の持ち運び等の取扱いが容易となるものである。また、また、脚用マッサージ具３０は椅子として使用する場合はクッションとして使用できるものである。
【００４２】
そして、上記のように形成された椅子式マッサージ機の使用において、脚部のマッサージを所望する場合は前記開閉部材６０の結合を解いて、図６に示すように脚用マッサージ具３０を座部２の前方に配置し、脚用袋体４０、４０の挿通孔４３、４３に脚部を挿入してマッサージをなすものであり、そのマッサージを行う場合の操作およびその動作は上記第一の実施の形態の場合と同様でありその説明は省略する。また、マッサージ終了後は上述のように脚用マッサージ具３０を前記連結部材３５ａの部分から折り曲げて前記座部２の上面に重ね合わせるとともに前記緩衝部材３３を圧縮させつつ前記開閉部材６０の一方側６１と他方側６２を結合して結合部材６０を結合することにより座部２に重ね合わせて収納すればよいものである。
【００４３】
そして、不使用時に座部２に重ね合わせて収納された脚用マッサージ具３０は、緩衝部材３３がクッション作用を有することから、単に座椅子として使用する際は脚用マッサージ具３０はクッションとしても機能するものである。
【００４４】
つぎに、この発明の第三の実施の形態を図８ないし図１０に基づいて説明する。
【００４５】
この実施の形態における椅子式マッサージ機は、上記第一の実施の形態における椅子本体１の肘掛け部４、４の上面部に腕用マッサージ具７０、７０を設けたものであり、その他の構成は上記第一の実施の形態における椅子式マッサージ機の構成と同様であることから、同一部分には同一符号を付し、その説明は省略する。
【００４６】
この実施の形態における椅子式エアーマッサージ機の椅子本体１の肘掛け部４、４の上面部つまり腕を載置する部位には、それぞれ腕用マッサージ具７０、７０が設けられている。この腕用マッサージ具７０、７０は、上記第一の実施の形態における脚用マッサージ具３０と実質的に同一の構成となっているものである。具体的には図８に示すようにエアーの給排気によって膨縮する腕部をマッサージする腕用袋体８０、この腕用袋体８０の外周を包囲して設けられた包囲部材７１、この包囲部材７１の外周を包囲して設けられた緩衝部材７３、この緩衝部材７３の外周を包囲して設けられたカバー部材７５とから構成されている。これら腕用マッサージ具７０、７０の構成は同一であることから一方のみを説明することとする。
【００４７】
そして、前記腕用袋体８０は図９に示すように、互いに対向しエアーの給排気により膨縮する一対の偏平状の袋体８１および８２から構成されており、これら袋体８１と８２の互いに対向する内周面８１ａおよび８２ａは腕部を挿通する挿通孔８３を形成しているとともに前記内周面８１ａおよび８２ａは腕部を押圧してマッサージする押圧面となっている。また、前記袋体８１、８２には屈曲性のあるエアーホース８１ｂおよび８２ｂを介して前記図示しないエアー分配器に接続されエアーコンプレッサーからのエアーの給排気がなされるようになっている。
【００４８】
また、前記袋体８１、８２は挿通孔８３の両端の開口を除いて前記包囲部材７１で包囲されている。そして、包囲部材７１は前記袋体８１の外周を包囲する非伸縮性の布状部材からなる包囲部材７１ａと袋体８２の外周を包囲する非伸縮性の布状部材からなる包囲部材７１ｂからなっており、前記包囲部材７１ａ、７１ｂによって前記袋体８１、８２を包囲するとともにその両端縁７２ａ、７２ｂをそれぞれ縫製Ｈして、前記袋体８１、８２を所定位置に位置決めするようになっている。
【００４９】
そして、前記腕用袋体８０それぞれの袋体８１、８２は非伸縮性の布状部材からなる包囲部材７１ａ、７１ｂによって包囲されていることから、これら袋体８１、８２にエアーが供給されて膨脹した際は、外側方向への膨脹が規制されるため袋体８１、８２は内側に向かって膨脹することになり、したがって、各袋体８１、８２の内周面８１ａ、８２ａは挿通孔４３に挿通された腕部を押圧つまりマッサージすることになる。
【００５０】
また、前記袋体８１、８２の内周面８１ａ、８２ａには、この内周面８１ａ、８２ａが直接腕部に触れないように柔らかな布からなるカバー８５で覆われている。このカバー８５は袋体８１、８２が内側に膨脹する膨脹量を許容するように適度なゆとりが持たせてある。なお、このカバー８５を伸縮性のある部材とした場合は前記ゆとりを持たせる必要がないことから、挿通孔８３への腕部の挿通が容易となる利点がある。
【００５１】
つぎに、前記包囲部材７１の外周を包囲して設けられる前記緩衝部材７３は、弾力性つまり緩衝性を有する例えばスポンジ状部材等から構成されるとともに、前記腕用袋体８０の挿通孔８３に腕部が挿通された際にこの腕部が挿通する挿通孔８３の開口に対応してつまり挿通孔８３の開口を除いて包囲部材７１を包囲しているものである。
【００５２】
そして、前記緩衝部材７３は、前記腕用袋体８０の挿通孔８３の開口を除いて、その外周を布等からなる前記カバー部材７５によって覆われている。このカバー部材７５の下面部は、肘掛け部４に縫製等により取り付けられている。また、このカバー部材７５の前後の開口の開口縁にはファスナー等からなる開閉部材７７ａ、７７ｂが設けられており、この開閉部材７７ａ、７７ｂによってカバー部材７５の前後の開口は開閉されるようになっている。そしてこれら開閉部材７７ａ、７７ｂが結合つまり閉じられ挿通孔８３は閉鎖されて外部からの塵埃や異物の侵入を防止するようになっている。
【００５３】
つまり、腕用袋体８０の不使用時には前記開閉部材７７ａ、７７ｂを結合状態としておくものであることから、前記腕用袋体８０の挿通８３の開口はカバー部材７５によって閉鎖され、挿通孔８３内には塵埃あるいは異物の侵入が防止できるものであり挿通孔８３内の汚れを防止できる。また、この不使用状態では腕用マッサージ具７０は腕載置用クッションとしても機能するようになっている。また、腕用袋体８０を使用する時には前記結合部材７７ａ、７７ｂの結合を解くことにより、前記挿通孔８３の開口から腕部を挿通できるものである。
【００５４】
なお、この椅子式エアーマッサージ機の制御は、図１０の制御ブロック図に示された構成によってなされるものであり、この制御は上記第一の実施の形態の制御に腕用袋体８０、８０の各袋体８１、８２へのエアーの給排気の制御が付加された点が相違するのみであり、その他の制御は同一であるので第一の実施の形態の制御ブロック図と同一部分には同一符号を付して示してあり、また、その説明は省略する。
【００５５】
つぎに、上記のように構成された椅子式エアーマッサージ機の動作について説明する。
【００５６】
まず、背中、脚部等とともに腕部のマッサージを所望する場合は、脚用マッサージ具３０のカバー部材３５の前記開閉部材３６、３７の結合を解いて脚用袋体４０、４０の挿通孔４３、４３に脚部を挿通して座部２に座り、また、図１０に示す操作部２５を操作して各種マッサージモードの中から所望のマッサージモードを選択した後、前記腕用マッサージ具７０のカバー部材７５に設けた開閉部材７７ａ、７７ｂの結合を解いて挿通孔８３に腕部を挿通し、身体の背部を背もたれ部３に当て図示しない始動スイッチを入れる。そうすると、前記制御装置２４は前記選択されたマッサージモードに従って前記各袋体５ないし９、袋体４１、４２および袋体８１、８２にエアーの給排気をするようにエアーコンプレッサー２１、ステッピングモータ２３を介して分配器２２を制御する。そしてエアーの給排気により膨縮する袋体５ないし９、袋体４１、４２および袋体８１、８２によって、背中、脚部および腕部を含む各施療部のマッサージがなされる。
【００５７】
そして、マッサージが終了した後は、前記脚用マッサージ具３０の前記開閉部材３６、３７を結合状態として脚用袋体４０、４０の開口を閉じる。また、腕用袋体８１、８２の開閉部材７７ａ、７７ｂを閉じる。この閉じた状態では前記挿通孔４３、４３および挿通孔８３への塵埃あるいは異物の侵入は防止されるとともに、腕用マッサージ具７０は、腕部のマッサージをしない場合あるいは単に座椅子として使用する場合は肘掛け部４に腕を置いた際にクッションとして機能するものである。
【００５８】
そして、腕用マッサージ具７０、７０は、小形でしかも軽量であることから、椅子本体１の軽量化が図れ取扱いが容易となり、また、腕用マッサージ具７０、７０を圧縮変形して収納できることから、コンパクトに収納でき、不使用時腕用マッサージ具が邪魔になることがないことに加えて、肘掛け部に腕を載置する場合のクッションとして機能するものである。
【００５９】
なお、上記各実施の形態では、各請求項記載の発明を座椅子式のエアーマッサージ機に適用した場合について説明したが、これは腰掛式の椅子式エアーマッサージ機に適用できることはいうまでもないことである。
【００６０】
また、上記各実施の形態においては、袋体４１、４２および袋体８１、８２の外周を包囲する包囲部材３１および７１を非伸縮性部材で構成して袋体４１、４２および袋体８１、８２の外側方向への膨脹を規制する構成としたが、これは包囲部材３１および７１を伸縮性部材としてカバー部材３５および７５を非伸縮性部材で構成して袋体４１、４２および袋体８１、８２の外側方向への膨脹を規制するようにしてもよい。包囲部材３１および７１を非伸縮性部材で構成した場合は、緩衝部材３３および７３による緩衝作用がないことから強くしかもエアーの供給に即応して押圧力を得ることができるという効果があり、また、カバー部材３５および７５を非伸縮性部材で構成して袋体４１、４２および袋体８１、８２の外側方向への膨脹を規制するようにした場合は、緩衝部材３３による緩衝作用によりゆっくりとしたソフトな押圧力による押圧が得られるという効果がある。なお、一般に脚部および腕部自体の重さはそれ程重くないことから、自重による反作用として脚部および腕部の下側に位置する袋体４１あるいは８１から受ける押圧力は腿・尻部あるいは背中部がその重さによる反作用として袋体５ないし９から受ける押圧力のように大きくないものの、脚用袋体４０および腕用袋体８０を挿通孔４３および８３を有する筒状に形成したことから、袋体４０および８０の膨脹時には、脚部および腕部は外周方向から締め付けつまり押圧されるため、前記自重の重さの反作用としての押圧力が小さいとしても充分なマッサージ効果が得られるものである。
【００６１】
また、上記各実施の形態では脚用袋体４０および腕用袋体８０をそれぞれ互いに対向する２個の袋体４１、４２および袋体８１、８２で構成するようにしたが、これは内壁面と外壁面との間にエアーを供給する空間を形成した環状の袋体として内部に挿通孔を形成する構成としてもよく、要は脚部、腕部が挿通できる挿通孔が形成される構成であればどの様な構成でもよいものである。
【００６２】
また、上記第二の実施の形態においては、脚用マッサージ具３０を開閉部材６０を介して座部２に重ね合わせて収納するようにしたが、これは連結部材３５ａの長さを長くする等して、座部２上に安定した状態で重ね合わせて載置できる構成とすれば省略することもできるが、しかし、開閉部材６０で連結した場合は座部２に固定的に重ね合わせることができることから椅子として使用する場合等に座部２から動いたり落ちたりすることがないという利点がある。また、連結部材３５ａはファスナーではなく例えばホックあるいはいわゆるマジックテープ等を適宜な部位に設ける構成としてもよいものである。
【００６３】
【発明の効果】
上記のように構成した請求項１記載の発明は、脚用マッサージ具が小形・軽量であるとともに変形可能であるから、椅子本体および脚用マッサージ具の取付部材の強度を大きくする必要がなく低コスト化を図ることができるとともに、軽量化に伴い取扱いが容易となり、また、脚用マッサージ具を圧縮変形して収納できることから、コンパクトに収納でき収納時に広いスペースを必要とすることなく省スペース化が図れるという効果を奏することができるものである。
【００６４】
更に、請求項１記載の発明は、脚用マッサージ具の不使用時には、脚用袋体の開口を閉鎖して内部つまり環状押圧面への塵埃の付着あるいは異物等の侵入を防止でき、使用時に脚部の汚れ等を防止できるという効果を奏するものである。
【００６５】
また、請求項２記載の発明は、脚用マッサージ具が小形・軽量であるとともに変形可能であるから、椅子本体および脚用マッサージ具の取付部材の強度を大きくする必要がなく低コスト化を図ることができるとともに、軽量化に伴い取扱いが容易となり、また、脚用マッサージ具を圧縮変形して収納できることから、コンパクトに収納でき収納時に広いスペースを必要とすることなく省スペース化が図れるという効果に加えて、脚用マッサージ具を座部に重ね合わせ可能としたことから、不使用時脚用マッサージ具を座部に重ね合わせて収納することによりコンパクトに収納できるとともに、マッサージ機としてではなく単に椅子として使用する場合はクッション部材として機能させることができるという効果を奏するものである。
【００６６】
また、請求項３記載の発明は、腕用マッサージ具が軽量であり椅子本体の重量を増加させることがないことから椅子本体の取扱いが容易となり、また、腕用マッサージ具の不使用時にこの腕用マッサージ具が邪魔になることがないことに加えて、肘掛け部に腕を載置する場合のクッションとして腕用マッサージ具を機能させることができるという効果を奏するものである。
また、請求項４記載の発明は、腕用マッサージ具の不使用時に、その腕用袋体の開口を閉鎖して内部つまり環状押圧面への塵埃の付着あるいは異物等の侵入を防止できるという効果を奏するものである。
【図面の簡単な説明】
【図１】本発明の第一の実施の形態の椅子式エアーマッサージ機の斜視図。
【図２】上記実施の形態の脚用マッサージ具の収納状態を示す斜視図。
【図３】上記実施の形態の脚用マッサージ具の断面図。
【図４】上記実施の形態の椅子式エアーマッサージ機の使用する場合の脚用マッサージ具の状態を示す斜視図。
【図５】上記実施の形態の制御ブロック図。
【図６】本発明の第二の実施の形態の椅子式エアーマッサージ機の斜視図。
【図７】上記第二の実施の形態の脚用マッサージ具の収納状態を示す斜視図。
【図８】本発明の第三の実施の形態の椅子式エアーマッサージ機の斜視図。
【図９】上記第三の実施の形態の腕用マッサージ具の断面図。
【図１０】上記第三の実施の形態の制御ブロック図。
【図１１】従来の椅子式マッサージ機の斜視図。
【符号の説明】
１      椅子本体
２      座部
３      背もたれ部
４      肘掛け部
５〜９  袋体
５ａ〜９ａ    エアーホース
２１    エアーコンプレッサー（エアー供給装置）
４１、４２    脚用袋体
４１ｂ、４２ｂ、８１ｂ、８２ｂ    エアーホース
３０      脚用マッサージ具
３１、７１      包囲部材
３３、７３      緩衝部材
３５、７５      カバー部材
３６、３７、７７ａ、７７ｂ    開閉部材
４３、８３      挿通孔
７０      腕用マッサージ具
８１，８２      腕用袋体
【図１】
0003599460.tif 000002
【図２】
0003599460.tif 000003
【図３】
0003599460.tif 000004
【図４】
0003599460.tif 000005
【図５】
0003599460.tif 000006
【図６】
0003599460.tif 000007
【図７】
0003599460.tif 000008
【図８】
0003599460.tif 000009
【図９】
0003599460.tif 000010
【図１０】
0003599460.tif 000011
【図１１】
0003599460.tif 000012